(57)【要約】【課題】一方の操作体でオンにしたスイッチを他方の操作体でオフにできないという問題が起こらない電気掃除機を提供することを目的とする。【解決手段】作動体４１が本体操作体８と連動し、掃除機本体２内に、この掃除機本体２と延長ハンドル５との着脱に連動する保持手段６２が設けられると共に、延長ハンドル５が掃除機本体２に装着された状態で、保持手段６２と本体操作体２との係合が解除され、延長ハンドル５が掃除機本体２から取り外された状態で、保持手段６２と本体操作体８が係合し、保持手段６２により本体操作体８がスイッチ２１のオン位置又はオフ位置に保持される【選択図】図３
2018000456.tif 000002
【特許請求の範囲】
【請求項１】
電動送風機を有する掃除機本体と、
この掃除機本体内に設けられたスイッチと、
前記掃除機本体に設けられた本体操作体と、
前記掃除機本体に対し着脱可能に設けられた延長ハンドルと、
この延長ハンドルに設けられたハンドル操作体と、
前記延長ハンドル内に設けられた操作杆と、
前記掃除機本体内で、前記スイッチと前記操作杆の先端部との間で往復動可能に設けられると共に前記スイッチに当接するスイッチ当接部及び前記操作杆の先端部が当接する操作杆当接部を有する作動体と、
この作動体を反スイッチ側に付勢する第１の付勢手段と、を有する電気掃除機において、
前記作動体が前記本体操作体と連動し、
前記掃除機本体内に、この掃除機本体と前記延長ハンドルとの着脱に連動する保持手段が設けられると共に、
前記延長ハンドルが前記掃除機本体に装着された状態で、前記保持手段と前記本体操作体との係合が解除され、
前記延長ハンドルが前記掃除機本体から取り外された状態で、前記保持手段と前記本体操作体が係合し、前記保持手段により前記本体操作体が前記スイッチのオン位置又はオフ位置に保持されることを特徴とする電気掃除機。
【請求項２】
前記保持手段が第２の付勢手段により前記本体操作体を保持する方向に付勢され、前記第１の付勢手段による付勢力が、前記保持手段が前記本体操作体を保持するのに必要な力よりも小さくなるように前記第１の付勢手段及び前記第２の付勢手段のバネ定数が設定されることを特徴とする請求項１記載の電気掃除機。
【発明の詳細な説明】
【技術分野】
【０００１】
本発明は、複数の操作部を有する電気掃除機に関するものである。
【背景技術】
【０００２】
従来、この種の電気掃除機としては、掃除機本体と、この掃除機本体に対し着脱可能に設けられた延長ハンドルとを有し、掃除機本体に、スイッチと、このスイッチを操作するための作動体と、この作動体を操作するための本体操作体とを設け、作動体を付勢手段によって反スイッチ側に付勢すると共に、延長ハンドルにハンドル操作体と操作杆を設け、本体操作体又は操作杆の何れかによって作動体を動かし、この動かされた作動体によってスイッチがオン／オフされるものが知られている（例えば、特許文献１参照。）。そして、このような電気掃除機は、本体操作体又は操作杆の何れを操作しても、スイッチをオン／オフできるので、延長ハンドルを外した状態で掃除機本体のハンドルを把持し、本体操作体を操作して電動送風機を作動又は停止させるように使用することができると共に、掃除機本体に延長ハンドルを取り付けた状態で延長ハンドルを把持し、ハンドル操作体を操作して操作杆を往復動させ、電動送風機を作動又は停止させるように使用することができる。なお、このような電気掃除機は、延長ハンドルを掃除機本体に取り付けた状態でも、本体操作体を操作することが可能である。また、このような電気掃除機は、本体操作体及びハンドル操作体の何れもオン又はオフの位置で保持することができるように、保持手段を有する。
【先行技術文献】
【特許文献】
【０００３】
【特許文献１】特許第５８７５１８８号公報
【発明の概要】
【発明が解決しようとする課題】
【０００４】
このような電気掃除機は、例えば床と階段を清掃する場合、延長ハンドルを掃除機本体に対し一々着脱するのが面倒であると使用者に思われがちである。このため、使用者は、掃除機本体に延長ハンドルを取り付けたまま、床を清掃する場合は延長ハンドルを把持してハンドル操作体を操作し、階段を清掃する場合は掃除機本体のハンドルを把持して本体操作体を操作することがある。しかしながら、このような電気掃除機では、掃除機本体に延長ハンドルを取り付けた状態で、本体操作体又はハンドル操作体の何れか一方を操作してスイッチをオンにした後、何れか他方を操作してスイッチをオフにできないという問題があった。この問題は、例えば、階段清掃から床清掃に移行した後、又は床清掃から階段清掃に移行した後に、ハンドルを持ち替えた際に起こる。
【０００５】
本発明は以上の問題点を解決し、一方の操作体でオンにしたスイッチを他方の操作体でオフにできないという問題が起こらない電気掃除機を提供することを目的とする。
【課題を解決するための手段】
【０００６】
本発明の請求項１に記載の電気掃除機は、電動送風機を有する掃除機本体と、この掃除機本体内に設けられたスイッチと、前記掃除機本体に設けられた本体操作体と、前記掃除機本体に対し着脱可能に設けられた延長ハンドルと、この延長ハンドルに設けられたハンドル操作体と、前記延長ハンドル内に設けられた操作杆と、前記掃除機本体内で、前記スイッチと前記操作杆の先端部との間で往復動可能に設けられると共に前記スイッチに当接するスイッチ当接部及び前記操作杆の先端部が当接する操作杆当接部を有する作動体と、この作動体を反スイッチ側に付勢する第１の付勢手段と、を有する電気掃除機において、前記作動体が前記本体操作体と連動し、前記掃除機本体内に、この掃除機本体と前記延長ハンドルとの着脱に連動する保持手段が設けられると共に、前記延長ハンドルが前記掃除機本体に装着された状態で、前記保持手段と前記本体操作体との係合が解除され、前記延長ハンドルが前記掃除機本体から取り外された状態で、前記保持手段と前記本体操作体が係合し、前記保持手段により前記本体操作体が前記スイッチのオン位置又はオフ位置に保持されることを特徴とする。
【０００７】
また、本発明の請求項２に記載の電気掃除機は、前記保持手段が第２の付勢手段により前記本体操作体を保持する方向に付勢され、前記第１の付勢手段による付勢力が、前記保持手段が前記本体操作体を保持するのに必要な力よりも小さくなるように前記第１の付勢手段及び前記第２の付勢手段のバネ定数が設定されることを特徴とする。
【発明の効果】
【０００８】
本発明の請求項１に記載の電気掃除機は、以上のように構成することにより、前記掃除機本体に前記延長ハンドルを取り付けた状態において、前記ハンドル操作体でオンにした前記スイッチを、前記本体操作体でオフにすることができると共に、前記本体操作体で前記スイッチをオンにした場合、前記本体操作体から指を離すことで前記スイッチをオフにすることができる。
【０００９】
また、本発明の請求項２に記載の電気掃除機は、前記掃除機本体から前記延長ハンドルを取り外した状態において、前記スイッチがオンの状態で前記本体操作体を保持することができる。
【図面の簡単な説明】
【００１０】
【図１】本発明の実施例１を示す電気掃除機の正面図である。
【図２】同、電気掃除機の左側面図である。
【図３】同、電気掃除機の外殻体を外したスイッチオフ状態の要部拡大図である。
【図４】同、電気掃除機の外殻体を外したスイッチオン状態の要部拡大図である。
【図５】同、電気掃除機の要部縦断面図である。
【図６】同、延長ハンドルを取り付け、電気掃除機の外殻体を外したスイッチオフ状態の要部拡大図である。
【図７】同、延長ハンドルを取り付け、電気掃除機の外殻体を外したスイッチオン状態の要部拡大図である。
【図８】同、延長ハンドルの要部拡大図である。
【図９】同、延長ハンドルのスイッチオフ状態の要部縦断面図である。
【図１０】同、延長ハンドルのスイッチオン状態の要部縦断面図である。
【図１１】本発明の実施例２を示す電気掃除機の要部概略図である。
【図１２】同、電気掃除機の要部概略図である。
【図１３】本発明の実施例３を示す電気掃除機の要部概略図である。
【図１４】同、電気掃除機の要部概略図である。
【図１５】本発明の実施例４を示す電気掃除機の要部概略図である。
【図１６】同、電気掃除機の要部概略図である。
【発明を実施するための形態】
【００１１】
以下、本発明の実施例について、添付図を参照して説明する。以下に説明する実施例は、特許請求の範囲に記載された本発明の内容を限定するものではない。また、以下に説明される構成の全てが、本発明の必須要件であるとは限らない。なお、各図において、図面の上下を電気掃除機１の上下として説明する。
【実施例１】
【００１２】
本発明の実施例１について、図１乃至図１０に基づいて説明する。図１及び図２に示すように、１はスティック型の電気掃除機である。この電気掃除機１は、掃除機本体２と、この掃除機本体２に対し着脱可能に取り付けられる集塵部３と、この集塵部３に対し着脱可能に取り付けられる吸引ノズル４と、掃除機本体２に対し着脱可能に取り付けられる延長ハンドル５とを有して構成されている。延長ハンドル５を取り付けた状態では、スティック型の電気掃除機として使用でき、延長ハンドル５を取り外した状態ではハンディ型の電気掃除機として使用できるが、当然、延長ハンドル５を取り付けた状態でハンディ型の電気掃除機として使用することもできる。
【００１３】
掃除機本体２の外殻体６には、本体把持部７が設けられている。本体把持部７の下端部には、本体操作体８が外部に露出して上下方向にスライド可能に設けられている。延長ハンドル５は、金属製のパイプ部９と、このパイプ部９の上端に設けられたハンドル把持部１０とを有する。パイプ部９は、掃除機本体２の本体把持部７の上端部に設けられた取付孔１１（図３〜図７参照）に対し着脱可能に挿入される。ハンドル把持部１０には、ハンドル操作体１２が外部に露出して上下方向にスライド可能に設けられる。
【００１４】
図２に示すとおり、掃除機本体２の内部からは電気掃除機１に外部から電力を供給するための電源コード１３が突出している。電源コード１３は、掃除機本体２に設けられたフック１４及び延長ハンドル５に設けられたフック１５に巻き付けられるようになっている。
【００１５】
図３は、延長ハンドル５を取付孔１１に挿入していない状態を示す掃除機本体２の縦断面図である。掃除機本体２内には、電動送風機２０とスイッチ２１が設けられている。スイッチ２１は、いわゆるマイクロスイッチであり、スイッチ２１が閉成してオン状態となると電動送風機２０が作動し、スイッチ２１が開放してオフ状態となると電動送風機２０の作動が停止する。
【００１６】
本体操作体８は、掃除機本体２内に形成された操作体配設室２２内にスライド可能に収容されている。本体操作体８は、上下方向に長い矩形板状の基板部２３と、上下方向の長さが基板部２３よりも短い矩形板状の中板部２４と、上下方向の長さが中板部２４よりも短い楕円板状の外板部２５からなり、中板部２４は基板部２３の一側面に形成され、外板部２５は中板部２４の一側面に形成されているため、本体操作体８は３段形状を有する。そして、基板部２３、中板部２４及び外板部２５は、一体に形成されている。なお、中板部２４の一側面は、外殻体６の内面形状に沿って湾曲している。
【００１７】
中板部２４及び外板部２５の他側面には、基板部２３の他側面から突出するように、当接部２６が突設されている。また、当接部２６よりも上方であって基板部２３の他側面には、後述する係合凸部６７が係合する矩形状の係合凹部２７が形成されている（図５参照）。図５に示すように、この係合凹部２７の下側内面２８は略水平に形成されているが、係合凹部２７の上側内面２９は係合凹部２７の開口側が広くなるように傾斜して形成されている。さらに、基板部２３の上端部３０の他側面には、角部を切り欠いた切欠部３１が形成されている。係合凹部２７と切欠部３１の間には、係合凸部６７が乗り越えるように摺動する乗越部３２が形成されている。
【００１８】
外板部２５は、一側面が掃除機本体２の外殻体６に形成された操作体用孔１６から外部に露出している。外板部２５の一側面の上下方向中央部には、外方向に突出した指掛部３３が形成されており、使用者は、この指掛部３３に指を掛けることにより本体操作体８を上下方向に押圧することができる。
【００１９】
図３〜図７に示すとおり、操作体配設室２２の上下方向の長さは、基板部２５の上下方向の長さよりも長く形成されており、本体操作体８は操作体配設室２２内を上下方向にスライド可能となっている。本体操作体８の上端部３０が操作体配設室２２の上壁面３４に当接することにより、本体操作体８の上方への移動が規制され、本体操作体８の下端部３５が操作体配設室２２の下壁面３６に当接することにより、本体操作体８の下方への移動が規制される。操作体配設室２２の操作体用孔１６と対向する内壁面３７には、貫通孔である内壁孔３８Ａ，３８Ｂが形成されている。当接体２６は内壁孔３８Ａから操作体配設室２２の外部へ突出している。また、内壁孔３８Ｂには操作体配設室２２の外部から内部に向かって係合凸部６７が挿通可能となっている。係合凸部６７は、当接体２６より上方の位置において操作体配設室２２の内部で本体操作体８の係合凹部２７に係合する。
【００２０】
掃除機本体２内には、スイッチ２１に当接してスイッチ２１のオン／オフを切り替え操作する作動体４１がスライド可能に設けられている。作動体４１は、図３〜図７に示すように側面視略Ｌ字形状の作動体本体４２と、作動体本体４２の上面に突設された操作杆当接部４３と、作動体本体４２の下面４４から下方に突設したスイッチ操作部４５とを有して構成されている。作動体本体４２の一側面（本体操作体８側の面）には挿入凹部４６が形成されており、この挿入凹部４６に本体操作体８の当接部２６が挿入される。
【００２１】
スイッチ操作部４５は、略矩形板状に形成され、挿入凹部４６の下方に配設されている。スイッチ操作部４５の下端には、先端先細りのスイッチ当接部４７が形成されており、作動体４１が下方にスライドすると、図４、図５及び図７に示すように、スイッチ当接部４７がスイッチ２１の可動片４８に当接するようになっている。
【００２２】
作動体本体４２の下面４４には、十字状のリブ４９が形成されており、このリブ４９に第１の付勢手段である圧縮コイルバネ５０が係止されている。圧縮コイルバネ５０の上端は作動体本体４２の下面４４に当接しており、圧縮コイルバネ５０の下端は掃除機本体２の内面に形成されたバネ保持部５１に当接しているため、作動体４１は圧縮コイルバネ５０により上方（反スイッチ２１側）へ付勢されている。
【００２３】
挿入凹部４６の上方であって掃除機本体２の内面には、側面視矩形状の移動規制部５２が形成されている。そして、この移動規制部５２は、内壁孔３８Ａと内壁孔３８Ｂの間に設けられている。そして、作動体４１の挿入凹部４６の上側外面５３が移動規制部５２に当接することにより、作動体４１の上方への移動が規制される。
【００２４】
挿入凹部４６内側の上下方向の長さは、当接部２６の上下方向の長さよりもやや長く形成されている。本体操作体８を上方にスライドさせると、当接部２６の上面２６Ａが挿入凹部４６の上側内面４６Ａに当接し、作動体４１が本体操作体８と連動して上方にスライドする。一方、本体操作体８を下方にスライドさせると、当接部２６の下面２６Ｂが挿入凹部４６の下側内面４６Ｂに当接し、作動体４１が本体操作体８と連動して下方にスライドする。
【００２５】
本体操作体８と作動体４１の上方には、回動軸６１により回動自在に掃除機本体２に軸支された保持手段６２が配設されている。保持手段６２は、回動軸６１が配設された略直方体形状の中心部６３と、中心部６３の下面に突設された板状の下体部６４と、中心部６３の上面に突設された折り曲げた板状の板状部６５と、板状部６５の上部に配設された略直方体形状の上体部６６とを有して構成されている。
【００２６】
下体部６４の一側面（本体操作体８に対向する面）には、係合凸部６７が突設されている。係合凸部６７は、本体操作体８側から見た場合には略矩形状である。一方、図４〜図７に示すように、側面視では、係合凸部６７の上角部６７Ａと下角部６７Ｂが略円弧状に形成されている。
【００２７】
上体部６６の一側面には、十字状のリブ６８が形成されており、このリブ６８に第２の付勢手段である圧縮コイルバネ６９が係止されている。この圧縮コイルバネ６９の一端は掃除機本体２の内面に形成されたバネ保持部７０に当接し、圧縮コイルバネ６９の他端は上体部６６の一側面に当接しているため、保持手段６２は回動軸６１を中心として図３〜図７における反時計回り方向に付勢されている。また、上体部６６の他側面には、延長ハンドル５に当接する、水平断面視で略円弧状となる当接凹部７１が形成されている。当接凹部７１には、パイプ部９の外面が当接するため、当接凹部７１の内面の曲率は、パイプ部９の外面の曲率と同一又はやや小さくなるように設定されている。また、当接凹部７１の上部には、角部を切り欠いた切欠部７２が形成されている。
【００２８】
スイッチ２１は、作動体４１の下方に配設されており、作動体４１が下方にスライドするとスイッチ操作部４５のスイッチ当接部４７がスイッチ２１の可動片４８に当接し、作動体４１がさらに下方にスライドするとスイッチ２１がオン状態となる。そして、スイッチ２１がオンになると、電動送風機２０は電力が供給されて作動し、吸引気流を発生させる。
【００２９】
ここで、延長ハンドル５を取り外した状態、すなわちハンディ型の電気掃除機として使用する場合のスイッチ２１のオン／オフ操作について説明する。図３は、スイッチ２１がオフの状態を示している。この状態では、作動体４１が圧縮コイルバネ５０により上方（反スイッチ側）に付勢されていると共に、保持手段６２の係合凸部６７が本体操作部８の係合凹部２７と係合しているため、本体操作体８はスイッチ２１がオフの状態の位置に保持される。この状態から使用者が本体把持部７を把持し、指掛部３３に指を掛けて本体操作体８を下方に押し下げると、本体操作体８が下方にスライドし始め、係合凸部６７が乗越部３２を乗り越えながら保持手段６２が回動軸６１を中心に圧縮コイルバネ６９に抗する方向に回動し、係合凹部２７と係合凸部６７の係合が解除される。その後、さらに本体操作体８を下方に押し下げると、本体操作体８の下端部３５が操作体配設室２２の下壁面３６に当接する。この時、作動体４１は本体操作体８と連動して下方にスライドするため、スイッチ２１をオン状態とし、電動送風機２０が作動する。また、保持手段６２は乗越部３２を乗り越えると、圧縮コイルバネ６９の付勢力が作用する方向に回動するが、保持手段６２の下角部６７Ｂが本体操作体８の切欠部３１に当接することにより回動が規制される。
【００３０】
図４は、スイッチ２１がオンの状態を示しており、この状態で使用者が本体操作体８から手を離すと、本体操作体８は圧縮コイルバネ５０の付勢力により作動体４１と連動して上方にスライドしようとする。しかしながら、圧縮コイルバネ５０の付勢力は、圧縮コイルバネ６９が保持手段６２を反時計回り方向に回動させようとする力よりも小さくなるように圧縮コイルバネ５０及び圧縮コイルバネ６９のバネ定数が設定されている。そのため、切欠部３１と下角部６７Ｂが当接することにより、本体操作体８は上方へのスライドが規制され、スイッチ２１がオンの状態で保持される。
【００３１】
スイッチ２１をオフ状態とするためには、圧縮コイルバネ６９の付勢力よりも大きな力で本体操作体８を上方に引き上げることにより、保持手段６２が回転軸６１を中心に圧縮コイルバネ６９の付勢力に抗する方向に回動し、係合凸部６７が乗越部３２を乗り越えて係合凹部２７に係合する。この動作の際、スイッチ操作部４５と可動片４８との当接が解除されるため、スイッチ２１はオフ状態となり、電動送風機２０の作動が停止する。本体操作体８は、圧縮コイルバネ５０の付勢力及び、係合凹部２７と係合凸部６７の係合により、スイッチ２１のオフ状態で保持される。
【００３２】
次に、延長ハンドル５を取り付けた状態、すなわちスティック型の電気掃除機として使用する場合のスイッチ２１のオン／オフ操作について説明する。図８は延長ハンドル５のパイプ部９の下端側を示している。パイプ部９は下端が開口し、中空円筒状に形成されており、この開口を閉塞するように樹脂製の蓋体８１が嵌合されている。蓋体８１は、径方向の中心部に円柱状の円柱部８２と、円柱部８２の外周を覆うように配設されたアーチ状のアーチ部８３と、円柱部８２の外周であってアーチ部８３と対向する位置に配設され下方に向かって縮径した縮径部８４とを有して構成されている。図６及び図７に示すとおり、アーチ部８３は縮径部８４よりも下方まで延設され、円柱部８２はアーチ部８３よりも下方まで延設されている。また、円柱部８２の径方向中心部には、貫通孔である中心孔８５が形成されている。延長ハンドル５の内部には、金属製の細棒である操作杆８６がパイプ部９と同軸状に配設されており、この操作杆８６の先端部８６Ａが中心孔８５から延長ハンドル５の外部に突出し、先端部８６Ａが作動体４１の操作杆当接部４３に当接して作動体４１を押圧可能となっている。
【００３３】
図９及び図１０に示すとおり、操作杆８６の上端部はハンドル操作体１２と連結している。使用者がハンドル把持部１０を把持して、ハンドル操作体１２を上方に引き上げると、連動して操作杆８６が上方に移動し、操作杆８６の先端部８６Ａは延長ハンドル５内に収容される。一方、ハンドル操作体１２を下方に押し下げると、連動して操作杆８６が下方に移動し、操作杆８６の先端部８６Ａは蓋体８１の中心孔８５から延長ハンドル５の外部に突出する。なお、ハンドル操作体１２と操作杆８６は、連結部８７によって連結されている。そして、ハンドル操作体１２の下部には、弾性変形可能な可撓片８８が形成されており、この可撓片８８の下端に、係合凸部８９が形成されている。一方、ハンドル把持部１０の内部には、係合凸部８９に対応して係合凸部９０が形成されている。係合凸部８９が係合凸部９０の上側に位置している時は、ハンドル操作体１２は先端部８６Ａが延長ハンドル５内に収容されている状態の位置に保持され、係合凸部８９が係合凸部９０の下側に位置している時は、ハンドル操作体１２は先端部８６Ａが延長ハンドル５から外部に突出している状態の位置に保持される。
【００３４】
図６は、延長ハンドル５を取付孔１１に取り付け、操作杆８６の先端部８６Ａを延長ハンドル５内に収容した状態を示している。延長ハンドル５を取付孔１１に挿入していくと、蓋体８１の縮径部８４が保持手段６２の当接凹部７１に当接し、延長ハンドル５を取付孔１１にさらに挿入していくと、保持手段６２が回動軸６１を中心に圧縮コイルバネ６９の付勢力に抗する方向に回動すると共に、当接凹部７１が縮径部８４の傾斜部８４Ａに沿ってパイプ部９に乗り上げる。すなわち、保持手段６２は延長ハンドル５の着脱に連動して回動する。この時、保持手段６２の係合凸部６７と本体操作体８の係合凹部２７の係合が解除される。この状態から、使用者が延長ハンドル５のハンドル把持部１０を把持して、ハンドル操作体１２を下方に押し下げると、操作杆８６の先端部８６Ａが中心孔８５から延長ハンドル５の外部に突出する。突出した先端部８６Ａは作動体４１の操作杆当接部４３に当接し、作動体４１を圧縮コイルバネ５０の付勢力に抗して下方に押し下げ、作動体４１を下方にスライドさせる。この時、本体操作体８は作動体４１と連動して下方にスライドする。また、作動体４１のスイッチ当接部４７によりスイッチ２１がオン状態となり、電動送風機２０が作動する。作動体４１は、スイッチ２１と操作杆８６の先端部８６Ａとの間を往復動する。
【００３５】
ハンドル操作体１２を下方にスライドさせると、可撓片８８が撓んで、ハンドル操作体１２の係合凸部８９がハンドル把持部１０の係合凸部９０を乗り越えて、係合凸部９０の下方に移動して係止され、本体操作体８が下方にスライドした状態で保持される。この状態を示すのが図７であり、係合凸部８９と係合凸部９０の係止が圧縮コイルバネ５０の付勢力により解除されないように、圧縮コイルバネ５０のバネ定数が設定されている。したがって、ハンドル操作体１２の係合凸部８９がハンドル把持部１０の係合凸部９０の下方に係止した状態では、使用者がハンドル操作体１２から指を離しても、スイッチ２１はオン状態で維持される。
【００３６】
この状態から、スイッチ２１をオフにするには、ハンドル把持部１０を把持して、ハンドル操作体１２を上方に引き上げ、ハンドル操作体１２を上方にスライドさせる。そうすると、操作杆８６の先端部８６Ａが延長ハンドル５の内部に収容され、作動体４１が下方に押し下げられなくなるため、圧縮コイルバネ５０の付勢力により作動体４１が上方にスライドし、スイッチ２１がオフ状態となる。そして、係合凸部８９を係合凸部９０の上方に係止させることにより、スイッチ２１はオフ状態で維持される。
【００３７】
また、ハンドル把持部１０を把持してハンドル操作体１２を上方に引き上げるのではなく、本体把持部７を把持して本体操作体８を上方に引き上げて上方にスライドさせてスイッチ２１をオフ状態にすることもできる。本体操作体８を上方にスライドさせることにより、本体操作体８と連動して作動体４１が上方にスライドし、作動体４１により操作杆当接部４３に当接した操作杆８６が上方に押し上げられ、操作杆８６の先端部８６Ａが延長ハンドル５の内部に収容される。同時に、操作杆８６と連結したハンドル操作体１２は上方にスライドする。この時、可撓片８８が撓んで、ハンドル操作体１２の係合凸部８９がハンドル把持部１０の係合凸部９０を乗り越えて、係合凸部８９が係合凸部９０の上方に移動する。したがって、ハンドル操作体１２によりスイッチ２１をオン状態にした場合には、本体操作体８又はハンドル操作体１２の何れにおいてもスイッチ２１をオフ状態とすることができる。
【００３８】
次に、延長ハンドル５を取付孔１１に挿入し、スイッチ２１がオフの状態（図６に示す状態）において、本体操作体８によりスイッチ２１をオン状態とする操作について説明する。図６に示す状態から本体操作体８を下方に押し下げてスライドさせると、本体操作体８と連動して作動体４１も下方にスライドするため、スイッチ操作部４５によりスイッチ２１がオン状態となる。この時、延長ハンドル５が取付孔１１に取り付けられていることにより、保持手段６２は圧縮コイルバネ６９の付勢力に抗する方向に回動した状態で保持されている。そのため、本体操作体８の切欠部３１と保持手段６２の係合凸部６７の下角部６７Ｂは当接しない。よって、本体操作体８は上方への移動が規制されない。そのため、使用者が本体操作体８から指を離して本体操作体８の押し下げを止めると、本体操作体８及び作動体４１は圧縮コイルバネ５０の付勢力により上方へスライドし、スイッチ２１はオフ状態となる。したがって、延長ハンドル５を取付孔１１に取り付けた状態で、本体操作体８によりスイッチ２１をオンにした場合は、スイッチ２１のオン状態は使用者による本体操作体８の押し下げにより維持されるが、使用者が本体操作体８から指を離すとスイッチ２１はオフ状態となる。即ち、この場合、スイッチ２１をオフにするための操作が不要である。
【００３９】
以上のように、本実施形態の電気掃除機１は、電動送風機２０を有する掃除機本体２と、この掃除機本体２内に設けられたスイッチ２１と、掃除機本体２に設けられた本体操作体８と、掃除機本体２に対し着脱可能に設けられた延長ハンドル５と、この延長ハンドル５に設けられたハンドル操作体１２と、延長ハンドル５内に設けられた操作杆８６と、掃除機本体２内で、スイッチ２１と操作杆８６の先端部８６Ａとの間で往復動可能に設けられると共にスイッチ２１に当接するスイッチ当接部４７及び操作杆８６の先端部８６Ａが当接する操作杆当接部４３を有する作動体４１と、この作動体４１を反スイッチ側に付勢する第1の付勢手段である圧縮コイルバネ５０と、を有する電気掃除機１において、作動体４１が本体操作体８と連動し、掃除機本体２内に、この掃除機本体２と延長ハンドル５との着脱に連動する保持手段６２が設けられると共に、延長ハンドル５が掃除機本体２に装着された状態で、保持手段６２と本体操作体８との係合が解除され、延長ハンドル５が掃除機本体２から取り外された状態で、保持手段６２と本体操作体８が係合し、保持手段６２により本体操作体８がスイッチ２１のオン位置又はオフ位置に保持されることにより、掃除機本体２に延長ハンドル５を取り付けた状態において、ハンドル操作体１２でオンにしたスイッチ２１を、本体操作体８でオフにすることができると共に、本体操作体８でスイッチ２１をオンにした場合、本体操作体８から指を離すことでスイッチ２１をオフにすることができる。
【００４０】
また、保持手段６２が第２の付勢手段である圧縮コイルバネ６９により本体操作体８を保持する方向に付勢され、第１の付勢手段である圧縮コイルバネ５０による付勢力が、保持手段６２が本体操作体８を保持するのに必要な力よりも小さくなるように、圧縮コイルバネ５０，６９のバネ定数が設定されることにより、延長ハンドル５が掃除機本体２から取り外された状態で、保持手段６２により本体操作体８をスイッチ２１のオン位置又はオフ位置に保持することができる。
【実施例２】
【００４１】
図１１及び図１２は、本発明の実施例２の概略を示し、上記実施例１と同一部分に同一符号を付し、その詳細な説明を省略して説明する。本実施例は、実施例１の保持手段６２の形状を変更した保持手段９１を用いたものであり、その形状の変更に対応させて配置される位置も変更されている。
【００４２】
保持手段９１は、回動軸９２により回動自在に軸支されており、回動軸９２が配設され、下方に延設された上部９３と、上部９３の下端に配設され、蓋体８１に近接するように延設された当接斜部９４と、当接斜部９４の下端に配設され、下方に延設された中間部９５と、中間部９５の下端に配設され、本体操作体８の方向に水平に延設された水平部９６とを有して構成されている。
【００４３】
水平部９６の先端に形成された係合凸部６７は、本体操作体８の係合凹部２７に係合可能となっている。中間部９５の他側面には、圧縮コイルバネ６９が係止されており、保持手段９１を回動軸９２を中心として図１１及び図１２における反時計回りの方向に付勢している。
【００４４】
図１１は、延長ハンドル５を取付孔１１に挿入していない状態を示しており、係合凸部６７が係合凹部２７に係合しており、スイッチ２１はオフの状態である。図１２は、延長ハンドル５を取付孔１１に挿入した状態を示している。延長ハンドル５を取付孔１１に挿入していくと、蓋体８１が当接斜部９４に当接し、さらに延長ハンドル５を取付孔１１に挿入すると保持手段９１が回動軸９２を中心に圧縮コイルバネ６９の付勢力に抗して回動し、係合凹部２７と係合凸部６７の係合が解除される。なお、作動体４１と保持手段９１は互いに当接しないように配設されている。
【００４５】
このように、本実施例は、延長ハンドル５を取付孔１１に挿入していない状態で、係合凹部２７と係合凸部６７が係合され、延長ハンドル５が取付孔１１に挿入された状態で、係合凹部２７と係合凸部６７の係合が解除されるという、実施例１と同一の機能を有する。その他、本体操作体８及びハンドル操作体１２によるスイッチ２１のオン／オフ操作は実施例１と同一である。
【実施例３】
【００４６】
図１３及び図１４は、本発明の実施例３の概略を示し、上記実施例１と同一部分に同一符号を付し、その詳細な説明を省略して説明する。本実施例は、実施例１の保持手段６２の形状を変更した保持手段１０１を用いたものであり、その形状の変更に対応させて配置される位置も変更されている。
【００４７】
保持手段１０１は、側面視略Ｌ字形状に形成され、上下方向に延設された上部１０２と、上部１０２の下端に配設され、本体操作体８方向に水平に延設された水平部１０３とを有して構成されている。上部１０２の上端には、延長ハンドル５の蓋体８１に当接する当接斜部１０４が形成されている。
【００４８】
水平部１０３の先端に形成された係合凸部６７は、本体操作体８の係合凹部２７に係合可能となっている。上部１０２の他側面には、圧縮コイルバネ６９が係止されており、保持手段１０１を本体操作体８の方向に付勢している。保持手段１０１は、水平方向に往復動可能に設けられている。
【００４９】
図１３は、延長ハンドル５を取付孔１１に挿入していない状態を示しており、係合凸部６７が係合凹部２７に係合しており、スイッチ２１はオフの状態である。図１４は、延長ハンドル５を取付孔１１に挿入した状態を示している。延長ハンドル５を取付孔１１に挿入していくと、蓋体８１に形成された当接角部１０５が当接斜部１０４に当接し、さらに延長ハンドル５を取付孔１１に挿入すると保持手段１０１が圧縮コイルバネ６９の付勢力に抗して本体操作体８から離れる方向に移動し、係合凹部２７と係合凸部６７の係合が解除される。当接斜部１０４の傾斜角度と当接角部１０５の傾斜角度は同一に形成されており、当接斜部１０４と当接角部１０５が確実に当接するようになっている。なお、作動体４１と保持手段１０１は互いに当接しないように配設されている。
【００５０】
このように、本実施例は、延長ハンドル５を取付孔１１に挿入していない状態で、係合凹部２７と係合凸部６７が係合され、延長ハンドル５が取付孔１１に挿入された状態で、係合凹部２７と係合凸部６７の係合が解除されるという、実施例１と同一の機能を有する。その他、本体操作体８及びハンドル操作体１２によるスイッチ２１のオン／オフ操作は実施例１と同一である。
【実施例４】
【００５１】
図１５及び図１６は、本発明の実施例４の概略を示し、上記実施例１と同一部分に同一符号を付し、その詳細な説明を省略して説明する。本実施例は、実施例１の保持手段６２の形状を変更した保持手段１１１を用いたものであり、その形状の変更に対応させて配置される位置も変更されている。
【００５２】
保持手段１１１は、上端部分に設けられた回動軸１１２により回動自在に軸支されている。保持手段１１１の上下方向中間部の他側面には、側面視三角形状の当接凸部１１３が突設されている。また、保持手段１１１の下端部分に設けられた係合凸部６７と当接凸部１１３の間であって、保持手段１１１の一側面には圧縮コイルバネ６９が形成されており、保持手段１１１を回動軸１１２を中心として図１５及び図１６における時計回りの方向に付勢している。
【００５３】
本実施例の係合凹部２７は、実施例１と異なり、基板部２３の一側面に形成されている。したがって、係合凸部６７は、基板部２３の一側面側から係合凹部２７に係合可能となっている。
【００５４】
図１５は、延長ハンドル５を取付孔１１に挿入していない状態を示しており、係合凸部６７が係合凹部２７に係合しており、スイッチ２１はオフの状態である。図１６は、延長ハンドル５を取付孔１１に挿入した状態を示している。延長ハンドル５を取付孔１１に挿入していくと、蓋体８１が当接凸部１１３の上側斜部１１４に当接し、さらに延長ハンドル５を取付孔１１に挿入すると保持手段１１１が回動軸１１２を中心に圧縮コイルバネ６９の付勢力に抗して回動し、係合凹部２７と係合凸部６７の係合が解除される。
【００５５】
このように、本実施例は、延長ハンドル５を取付孔１１に挿入していない状態で、係合凹部２７と係合凸部６７が係合され、延長ハンドル５が取付孔１１に挿入された状態で、係合凹部２７と係合凸部６７の係合が解除されるという、実施例１と同一の機能を有する。その他、本体操作体８及びハンドル操作体１２によるスイッチ２１のオン／オフ操作は実施例１と同一である。
【００５６】
なお、本発明は上記実施例に限定されるものではなく、本発明の要旨の範囲内において、種々の変形実施が可能である。例えば、延長ハンドル５を取付孔１１に挿入していない状態で、係合凹部２７と係合凸部６７が係合され、延長ハンドル５が取付孔１１に挿入された状態で、係合凹部２７と係合凸部６７の係合が解除されるという機能を有すれば、保持手段６２は、形状を任意の形状に変更することが可能であり、配置する位置も任意に変更可能である。また、本体操作体８と作動体４１は連動してスライドするため、両者を１部品としてもよい。
【符号の説明】
【００５７】
１  電気掃除機
２  掃除機本体
５  延長ハンドル
８  本体操作体
１２  ハンドル操作体
２１  スイッチ
４１  作動体
４３  操作杆当接部
５０  圧縮コイルバネ（第１の付勢手段）
６２  保持手段
６９  圧縮コイルバネ（第２の付勢手段）
８６  操作杆
８６Ａ  先端部
９１  保持手段
１０１  保持手段
１１１  保持手段
【図１】
2018000456.tif 000003
【図２】
2018000456.tif 000004
【図３】
2018000456.tif 000005
【図４】
2018000456.tif 000006
【図５】
2018000456.tif 000007
【図６】
2018000456.tif 000008
【図７】
2018000456.tif 000009
【図８】
2018000456.tif 000010
【図９】
2018000456.tif 000011
【図１０】
2018000456.tif 000012
【図１１】
2018000456.tif 000013
【図１２】
2018000456.tif 000014
【図１３】
2018000456.tif 000015
【図１４】
2018000456.tif 000016
【図１５】
2018000456.tif 000017
【図１６】
2018000456.tif 000018